(57)【要約】【課題】移動体内に設けられた情報表示装置の視聴者に対して、より有益な情報を表示可能な構成を得る。【解決手段】移動体用情報配信装置１は、情報表示用ディスプレイ５１に表示させるためのデジタル広告情報を管理する情報管理部１１と、情報表示用ディスプレイ５１を視聴する可能性がある人に関する人物関連情報を取得する人物関連情報取得部１２と、列車４の位置情報を取得する位置情報取得部１３と、前記人物関連情報と、列車４の位置情報と、情報の配信優先順位に関する配信優先順位情報とに基づいて、情報管理部１１によって管理されている情報から、情報表示用ディスプレイ５１に表示する内容を決定する配信計画決定部１４とを備える。【選択図】図１
2017183929.tif 000002
【特許請求の範囲】
【請求項１】
移動体に設けられた情報表示装置に情報を表示させる移動体用情報配信システムであって、
前記情報表示装置に表示させるための情報を管理する情報管理部と、
前記情報表示装置を視聴する可能性がある人に関する人物関連情報を取得する人物関連情報管理部と、
前記移動体の位置情報を取得する位置情報取得部と、
前記人物関連情報と、前記移動体の位置情報と、前記情報表示装置に対する配信の優先順位の情報を含む配信優先順位情報とに基づいて、前記情報管理部によって管理されている情報から、前記情報表示装置に表示する内容を決定する配信計画決定部とを備える、移動体用情報配信システム。
【請求項２】
前記配信計画決定部は、前記位置情報に基づいて、前記情報管理部によって管理されている情報から、前記情報表示装置に表示する情報を選定するとともに、前記人物関連情報及び前記配信優先順位情報に基づいて、前記選定した情報を前記情報表示装置に表示する順番を決める、請求項１に記載の移動体用情報配信システム。
【請求項３】
前記情報表示装置の視聴に関して得られた情報の分析を行うとともに、その分析結果に基づいて前記配信優先順位情報を最適化する統計処理部をさらに備え、
前記配信計画決定部は、前記最適化された配信優先順位情報を用いて、前記情報表示装置に表示する内容を決定する、請求項１または２に記載の移動体用情報配信システム。
【請求項４】
前記情報表示装置は、前記移動体に複数設けられていて、
前記人物関連情報取得部は、前記複数の情報表示装置をそれぞれ視聴する可能性がある人に関する人物関連情報を取得し、
前記配信計画決定部は、前記情報表示装置ごとに、前記人物関連情報取得部によってそれぞれ取得された人物関連情報を考慮して表示内容を決定する、請求項１から３のいずれか一つに記載の移動体用情報配信システム。
【請求項５】
前記情報管理部は、各種データを管理するデータセンターに設けられ、
前記人物関連情報取得部、前記位置情報取得部及び前記配信計画決定部は、前記移動体内に設けられていて、
前記移動体と前記データセンターとは、中継拠点を介してデータ送受信可能に構成されている、請求項１から４のいずれか一つに記載の移動体用情報配信システム。
【請求項６】
移動体に設けられた情報表示装置に情報を表示させる移動体用情報配信方法であって、
前記情報表示装置に表示させるための情報を管理する情報管理ステップと、
前記情報表示装置を視聴する可能性がある人に関する人物関連情報を取得する人物関連情報取得ステップと、
前記移動体の位置情報を取得する位置情報取得ステップと、
前記人物関連情報と、前記移動体の位置情報と、前記情報表示装置に対する配信の優先順位の情報を含む配信優先順位情報とに基づいて、前記情報管理部によって管理されている情報から、前記情報表示装置に表示する内容を決定する配信計画決定ステップとを有する、移動体用情報配信方法。
【請求項７】
前記配信計画決定ステップは、前記位置情報に基づいて、前記情報管理部によって管理されている情報から、前記情報表示装置に表示する情報を選定するとともに、前記人物関連情報及び前記配信優先順位情報に基づいて、前記選定した情報を前記情報表示装置に表示する順番を決める、請求項６に記載の移動体用情報配信方法。
【請求項８】
前記情報表示装置の視聴に関して得られた情報の分析を行うとともに、その分析結果に基づいて前記配信優先順位情報を最適化する統計処理ステップをさらに有し、
前記配信計画決定ステップは、前記最適化された配信優先順位情報を用いて、前記情報表示装置に表示する内容を決定する、請求項６または７に記載の移動体用情報配信方法。
【請求項９】
移動体に設けられた情報表示装置に情報を表示させる移動体用情報配信方法を制御するためのプログラムであって、
コンピュータに、
前記情報表示装置に表示させるための情報を管理する情報管理ステップと、
前記情報表示装置を視聴する可能性がある人に関する人物関連情報を取得する人物関連情報取得ステップと、
前記移動体の位置情報を取得する位置情報取得ステップと、
前記人物関連情報と、前記移動体の位置情報と、前記情報表示装置に対する配信の優先順位の情報を含む配信優先順位情報とに基づいて、前記情報管理部によって管理されている情報から、前記情報表示装置に表示する内容を決定する配信計画決定ステップとを実行させる、プログラム。
【請求項１０】
前記配信計画決定ステップは、前記位置情報に基づいて、前記情報管理ステップによって管理されている情報から、前記情報表示装置に表示する情報を選定するとともに、前記人物関連情報及び前記配信優先順位情報に基づいて、前記選定した情報を前記情報表示装置に表示する順番を決める、請求項９に記載のプログラム。
【発明の詳細な説明】
【技術分野】
【０００１】
本発明は、移動体内で情報表示装置を視聴すると予想される人物に対し、該情報表示装置に情報を表示させる移動体用情報配信システム、移動体用情報配信方法、及びこれらを実現するためのプログラムに関する。
【背景技術】
【０００２】
一般に、列車やバスなどの移動体内に掲げられている広告は、紙面が多い。このような紙面の広告の場合には、広告紙の交換を定期的に行う必要がある。広告紙の交換は、一般的に、数週間という長期間のサイクルで、人が行う。よって、紙面の広告は、その運用のコストが高く、且つ、タイムリーな情報発信を行えない場合が多い。
【０００３】
これに対し、近年、各車両内に情報表示用のディスプレイが設けられている車両等が増えている。この情報表示用ディスプレイに広告などの情報を表示することにより、表示する情報を安価で容易に変えることができる。
【０００４】
しかしながら、上述のように情報表示用ディスプレイに広告等の情報を表示するシステムでは、事前に表示順が決まったデジタル広告情報等を繰り返して表示するだけであり、閲覧する人の属性や嗜好などを考慮した、柔軟且つ積極的なデジタル広告情報の発信は難しい。
【０００５】
これに対し、列車内において、閲覧する人の属性や嗜好などを考慮した情報を表示する構成として、例えば特許文献１に開示されている列車内情報表示システムが知られている。この列車内情報表示システムでは、列車の各車両内に情報表示装置を設けて、該情報表示装置に広告を表示する。また、前記特許文献１に開示されている列車内情報表示システムでは、前記情報表示装置に設けられた小型カメラによって得られた映像データから、表示画面を注視している人の情報を得て、該情報に基づいて前記情報表示装置に表示する内容を決める。
【先行技術文献】
【特許文献】
【０００６】
【特許文献１】特開２００８−８５６８５号公報
【発明の概要】
【発明が解決しようとする課題】
【０００７】
前記特許文献１に開示されている列車内情報表示システムでは、表示画面を注視している人に応じた情報を表示できるものの、列車などの移動体は長距離を移動する場合が多いため、ある特定地域に特化した広告情報を全区間で表示しても、あまり大きな効果は期待できない。そのため、列車などの移動体内の情報表示装置に表示させる広告を出展する企業は、大企業が多く、小規模な地域企業等は少ない。
【０００８】
したがって、列車などの移動体内の情報表示装置に表示される広告は限定的であり、該情報表示装置を閲覧する人に対して効果的な広告情報を提供できていない場合が多い。
【０００９】
本発明の目的は、移動体内に設けられた情報表示装置の視聴者に対して、より有益な情報を表示可能な構成を得ることにある。
【課題を解決するための手段】
【００１０】
上記目的を達成するため、本発明の一側面における移動体用情報配信システムは、移動体に設けられた情報表示装置に情報を表示させる移動体用情報配信システムである。この移動体用情報配信システムは、前記情報表示装置に表示させるための情報を管理する情報管理部と、前記情報表示装置を視聴する可能性がある人に関する人物関連情報を取得する人物関連情報取得部と、前記移動体の位置情報を取得する位置情報取得部と、前記人物関連情報と、前記移動体の位置情報と、前記情報表示装置に対する配信の優先順位の情報を含む配信優先順位情報とに基づいて、前記情報管理部によって管理されている情報から、前記情報表示装置に表示する内容を決定する配信計画決定部とを備える。
【００１１】
また、上記目的を達成するため、本発明の一側面における移動体用情報配信方法は、移動体に設けられた情報表示装置に情報を表示させる移動体用情報配信方法である。この移動体用情報配信方法は、前記情報表示装置に表示させるための情報を管理する情報管理ステップと、前記情報表示装置を視聴する可能性がある人に関する人物関連情報を取得する人物関連情報取得ステップと、前記移動体の位置情報を取得する位置情報取得ステップと、前記人物関連情報と、前記移動体の位置情報と、前記情報表示装置に対する配信の優先順位の情報を含む配信優先順位情報とに基づいて、前記情報管理部によって管理されている情報から、前記情報表示装置に表示する内容を決定する配信計画決定ステップとを有する。
【００１２】
更に、上記目的を達成するため、本発明の一側面におけるプログラムは、移動体に設けられた情報表示装置に情報を表示させる移動体用情報配信方法を制御するためのプログラムである。このプログラムは、コンピュータに、前記情報表示装置に表示させるための情報を管理する情報管理ステップと、前記情報表示装置を視聴する可能性がある人に関する人物関連情報を取得する人物関連情報取得ステップと、前記移動体の位置情報を取得する位置情報取得ステップと、前記人物関連情報と、前記移動体の位置情報と、前記情報表示装置に対する配信の優先順位の情報を含む配信優先順位情報とに基づいて、前記情報管理部によって管理されている情報から、前記情報表示装置に表示する内容を決定する配信計画決定ステップとを実行させる。
【発明の効果】
【００１３】
以上のように本発明の構成によれば、移動体内に設けられた情報表示装置の視聴者に対して、より有益な情報を表示することができる。
【図面の簡単な説明】
【００１４】
【図１】実施形態に係る移動体用情報配信システムの概略構成を示すブロック図である。
【図２】データセンターと中継拠点と列車との関係を示す図である。
【図３】移動体用情報配信システムの構成を示すブロック図である。
【図４】分析処理部の構成を示すブロック図である。
【図５】列車内の乗客に対し、移動体用情報配信システムによって、デジタル広告情報を情報表示用ディスプレイに表示する場合の一例を示す図である。
【図６】移動体用情報配信システムにおける広告関連情報送信動作のフローを示す図である。
【図７】移動体用情報配信システムにおける広告情報表示動作のフローを示す図である。
【図８】分析処理部における配信計画決定の動作のフローを示す図である。
【図９】移動体用情報配信システムにおける配信優先順位最適化動作のフローを示す図である。
【図１０】コンピュータの構成の一例を示す図である。
【発明を実施するための形態】
【００１５】
以下、本発明の実施形態に係る移動体用情報配信システム、移動体用情報配信方法及びプログラムについて、図１から図１２を参照しながら説明する。
【００１６】
図１は、本発明の実施形態に係る移動体用情報配信システム１の全体構成の一例を示すブロック図である。移動体用情報配信システム１は、移動体内に設けられた情報表示装置を視聴する可能性がある人に関する人物関連情報と、前記移動体の位置情報と、前記情報表示装置に対する配信の優先順位の情報を含む配信優先順位情報とに基づいて、前記情報表示装置の表示内容を決定する。
【００１７】
移動体用情報配信システム１は、情報管理部１１と、人物関連情報取得部１２と、位置情報取得部１３と、配信計画決定部１４とを備える。
【００１８】
情報管理部１１は、コンテンツ情報、表示期間情報、情報の表示区間に関する情報、配信優先順位情報等を管理する。情報管理部１１によって管理されている各種情報は、後述する配信計画決定部１４によって、情報表示装置に表示させる際に用いられる。特に、情報管理部１１によって管理されている配信優先順位情報は、前記情報表示装置の表示内容を決定する際に用いられる。
【００１９】
人物関連情報取得部１２は、移動体内に設けられた情報表示装置を視聴する可能性がある人に関する情報を取得する。人物関連情報取得部１２は、例えば、移動体内に設けられたカメラなどの画像取得装置によって取得された情報に基づいて、前記視聴する可能性がある人の年齢や性別、服装などの情報、及び、位置や動作などの状態情報等を、取得する。
【００２０】
位置情報取得部１３は、移動体の位置に関する情報を取得する。位置情報取得部１３は、例えば、移動体の乗降用ドアの開閉状態に関する情報、移動体の速度情報、走行距離情報、ＧＰＳ信号情報などから、現在の移動体の位置情報を把握する。
【００２１】
配信計画決定部１４は、人物関連情報取得部１２によって取得された情報と、位置情報取得部１３によって取得された情報と、情報管理部１１によって管理されている配信優先順位情報とに基づいて、前記情報表示装置の表示内容を決定する。すなわち、配信計画決定部１４は、情報管理部１１によって管理されているコンテンツ情報から、視聴者、移動体の位置及び配信優先順位を考慮して、表示内容を決定する。この表示内容には、表示する情報の具体的内容や、表示する情報の順番などが含まれる。
【００２２】
以上より、移動体内に設けられた情報表示装置を視聴する可能性がある人に関する情報だけでなく、移動体の位置情報及び配信優先順位情報も考慮して、情報表示装置の表示内容を決定することができる。よって、移動体内の情報表示装置の視聴者に対し、その人に適切であり、且つ、優先順位が高く、該移動体の特定の移動区間で有用な情報を提供することができる。したがって、移動体内の情報表示装置の視聴者に対して、より有用な情報を提供することが可能になる。
【００２３】
（移動体用情報配信システムの構成）
次に、移動体用情報配信システム１のより具体的な構成を、図２から図１０を用いて詳細に説明する。以下では、移動体用情報配信システム１は、一例として、移動体である列車に設けられた情報表示装置にデジタル広告を表示するシステムの場合について説明する。
【００２４】
なお、本発明の移動体用情報配信システム１は、列車以外の移動体、例えば、タクシーやバス、飛行機などに適用してもよい。また、移動体用情報配信システム１によって移動体内の情報表示装置に表示させる情報は、広告以外の情報であってもよい。
【００２５】
図２に、移動体用配信システム１が分散して設けられる、データセンター２、車両基地やターミナル駅などの中継拠点３及び列車４の関係を模式的に示す。データセンター２と中継拠点３との間は、データ通信によって情報交換が可能である。また、中継拠点３と列車４との間も、データ通信によって情報交換が可能である。
【００２６】
図３に、移動体用情報配信システム１の全体構成をブロック図で示す。移動体用情報配信システム１は、情報管理部１１と、視聴率統計部２２（統計処理部）と、無線装置３１と、情報中継部３２と、無線装置４１と、情報蓄積部４２と、広告配信部４３と、分析処理部４４と、位置情報取得部１３と、複数の情報表示用ディスプレイ５１（情報表示装置）と、複数の車載防犯カメラ５２とを備える。
【００２７】
情報管理部１１及び視聴率統計部２２は、データセンター２に設けられている。無線装置３１及び情報中継部３２は、各中継拠点３に設けられている。無線装置４１、情報蓄積部４２、広告配信部４３、分析処理部４４、位置情報取得部１３、複数の情報表示用ディスプレイ５１（情報表示装置）及び複数の車載防犯カメラ５２は、列車４に設けられている。
【００２８】
情報管理部１１及び視聴率統計部２２は、データセンター２内で、データセンターネットワーク２３に接続されている。これにより、情報管理部１１及び視聴率統計部２２は、データセンターネットワーク２３を介して情報交換が可能である。また、データセンターネットワーク２３は、広域回線網を介して、後述の中継拠点ネットワーク３３に接続されている。
【００２９】
情報管理部１１は、広告コンテンツ情報、広告掲載期間情報、配信対象路線及び区間情報、配信優先順位情報などのデジタル広告関連情報が格納されていて、それらの情報を一括管理する。情報管理部１１は、格納されているデジタル広告関連情報のうち、中継拠点３の情報中継部３２に対して、中継拠点３の管轄内の路線で必要となるデジタル広告関連情報を選別して、夜間バッチ処理などによって、定期的に送信する。
【００３０】
視聴率統計部２２は、各列車４で記録された各種記録情報の統計処理及び分析処理を行う。すなわち、視聴率統計部２２は、各列車４から各種記録情報を収集し、各デジタル広告がどの区間内で、どのような人物に、どの程度視聴されたのかを分析する。また、視聴率統計部２２は、分析結果に基づいて、情報管理部１１に格納されている前記配信優先順位情報を最適化する。
【００３１】
また、視聴率統計部２２は、各列車４から収集した各種記録情報に基づいて、視聴率の高いデジタル広告情報を抽出して、効果の高いデジタル広告の特徴を分析する。これにより得られた結果は、今後、デジタル広告を出す際の効果的なデジタル広告情報の作成に利用することができる。
【００３２】
なお、視聴率統計部２２は、本発明の統計処理部に対応する。
【００３３】
無線装置３１及び情報中継部３２は、中継拠点３内で、中継拠点ネットワーク３３に接続されている。これにより、無線装置３１及び情報中継部３２は、中継拠点ネットワーク３３を介して情報交換が可能である。
【００３４】
無線装置３１は、列車４に設けられた後述の無線装置４１と無線通信が可能である。無線装置３１と無線装置４１とは、中継拠点３に列車４が停車している場合に、無線通信を行う。
【００３５】
情報中継部３２は、データセンター２の情報管理部１１から送信されるデジタル広告関連情報を格納するとともに、該デジタル広告関連情報を列車４に設けられた情報蓄積部４２に出力する。また、情報中継部３２は、各列車４から出力される各種記録情報を格納するとともに、その情報をデータセンター２に出力する。すなわち、情報中継部３２は、列車４とデータセンター２との間で行う情報のやりとりの中継を行う。このような情報中継部３２を設けることにより、列車４とデータセンター２との間での情報交換を円滑且つ迅速に行うことができる。
【００３６】
列車４に設けられた無線装置４１は、中継拠点に設けられた上述の無線装置３１と同様の構成を有する。すなわち、無線装置４１は、中継拠点３に列車４が停車している場合に、無線装置３１と無線通信を行う。
【００３７】
情報蓄積部４２は、情報中継部３２から出力されたデジタル広告関連情報を蓄積するとともに、蓄積されているデジタル広告関連情報のうち更新期限や有効期限が切れたデジタル広告関連情報の削除処理を行う。また、情報蓄積部４２には、列車４において得られた各種記録情報も蓄積されている。情報蓄積部４は、蓄積された各種記録情報を、中継拠点３の情報中継部３２に出力する。
【００３８】
広告配信部４３は、列車４に設けられた後述の複数の情報表示用ディスプレイ５１における広告表示を制御する。
【００３９】
分析処理部４４は、列車４に設けられた後述の複数の車載防犯カメラ５２によって撮影された画像の解析や、情報表示用ディスプレイ５１に表示するデジタル広告情報の配信計画を決定する。また、分析処理部４４は、情報蓄積部４２に蓄積されている情報（列車位置情報）に基づいて、列車４の位置情報を取得し、該列車４の走行区間を特定する。
【００４０】
具体的には、分析処理部４４は、図４に示すように、人物関連情報取得部１２と、視聴人物特定部６２と、走行区間特定部６３と、広告対象選定部６４と、配信順位決定部６５と、配信計画決定部１４とを有する。
【００４１】
人物関連情報取得部１２は、複数の車載防犯カメラ５２によって得られた画像情報の解析処理を行って、画像情報内に含まれる人物の年齢や性別、服装などの人物情報や、その人物の位置や向きに関する情報、人物の行動（情報表示用ディスプレイ５１を見ている、本を読んでいるなど）に関する情報など、人物に関する人物関連情報としてのメタ情報を抽出する。視聴人物特定部６１によって抽出されたメタ情報は、情報蓄積部４２に時系列データとして記録される。なお、画像解析の方法は、一般的な方法と同様なので、詳しい説明を省略する。
【００４２】
視聴人物特定部６２は、情報蓄積部４２から人物に関するメタ情報（人物関連情報）の時系列データを取得し、該時系列データにおける人物の位置や向きなどの情報に基づいて、各情報表示用ディスプレイ５１の視聴が予想される人物群を特定する。
【００４３】
走行区間特定部６３は、情報蓄積部４２に蓄積されている列車位置情報（位置情報）を常時監視し、該列車位置情報によって列車４の走行開始を検出した場合に、該列車４が駅を出発したと判断し、走行区間を特定する。
【００４４】
広告対象選定部６４は、情報蓄積部４２に蓄積されているデジタル広告関連情報と、走行区間特定部６２によって特定された走行区間とに基づいて、情報表示用ディスプレイ５１に表示可能な広告対象を選定する。
【００４５】
配信順位決定部６５は、視聴人物特定部６２によって情報表示用ディスプレイ５１ごとに特定した、視聴が予想される人物群に関する前記メタ情報と、情報蓄積部４２に蓄積されている前記配信優先順位情報とを用いて、広告対象選定部６４によって選定された前記広告対象の配信優先順位を決定する。具体的には、配信順位決定部６５は、前記メタ情報と、前記配信優先順位情報とが合致する比率を算出して、前記広告対象の配信優先順位を、前記合致する比率が高い順番とする。
【００４６】
配信計画決定部１４は、走行区間特定部６３で特定された前記走行区間と、配信順位決定部６５で決定した前記配信優先順位とに基づいて、各情報表示用ディスプレイ５１に表示するデジタル広告情報の配信計画を決定する。詳しくは、配信計画決定部１４は、走行区間特定部６３で特定された走行区間に基づいて次の駅の到着時間を予測するとともに、その到着時間までの間に情報表示用ディスプレイ５１に表示可能なデジタル広告情報の総量と、配信順位決定部６５で決定した前記配信優先順位とを比較してデジタル広告情報の表示順を調整することにより、前記配信計画を決定する。
【００４７】
配信計画決定部１４で決定された前記配信計画は、広告配信部４３に出力される。広告配信部４３では、前記配信計画に従って、各情報表示用ディスプレイ５１にデジタル広告情報を表示させる。
【００４８】
位置情報取得部１３は、列車４の各車両の乗降ドアの開閉状態を示す開閉状態情報、列車速度情報、列車４の走行距離情報、ＧＰＳ信号情報などから、現在の列車位置情報を得る。
【００４９】
情報表示用ディスプレイ５１は、列車４の運行関連情報やデジタル広告情報を表示するための表示装置である。情報表示用ディスプレイ５１は、例えば、列車４の各車両に複数、設けられている。情報表示用ディスプレイ５１は、広告配信部５４から配信されるデジタル広告情報を表示可能に構成されている。
【００５０】
車載防犯カメラ５２は、列車４内の画像を撮影する。車載防犯カメラ５２は、列車４の各車両の全体で画像を撮影可能なように、例えば、列車４の各車両に分散して複数、設けられている。
【００５１】
列車４にそれぞれ設けられた、無線装置４１、情報蓄積部４２、広告配信部４３、分析処理部４４、位置情報取得部１３、情報表示用ディスプレイ５１（情報表示装置）及び車載防犯カメラ５２は、列車内ネットワーク４６に接続されている。
【００５２】
上述の構成を有する移動体用情報配信システム１によって、列車４内の複数の情報表示用ディスプレイ５１ａ〜５１ｄにデジタル広告情報を表示する場合の一例を、図５に示す。移動体用情報配信システム１では、図５に図示しない視聴人物特定部６２が、図示しない車載防犯カメラ５２によって撮影された画像に基づいて、情報表示用ディスプレイ５１ａ〜５１ｄの前でそれぞれ視聴している可能性がある視聴者グループ９１〜９４を特定する。
【００５３】
そして、図５に図示しない配信計画決定部１４は、それぞれの視聴者グループ９１〜９４に対応する人物関連情報と、列車４の走行区間情報と、配信優先順位情報とを用いて、情報表示用ディスプレイ５１ａ〜５１ｄに対する配信計画を決定する。図５において、符号Ｐ１からＰ４は、情報表示用ディスプレイ５１ａ〜５１ｄに対して作成された配信計画のデータ構成の例を示す。
【００５４】
（移動体用情報配信システムの動作）
次に、本発明の実施形態に係る移動体用情報配信システム１の動作について、図６から図９を用いて説明する。移動体用情報配信システム１は、データセンター２から列車４にデジタル広告関連情報を送信する広告関連情報送信動作と、列車４の情報表示用ディスプレイ５１にデジタル広告情報を表示させる広告情報表示動作と、列車４で得られた各種記録情報に基づいて配信優先順位情報を最適化する配信優先順位最適化動作とを行う。
【００５５】
本実施形態では、移動体用情報配信システム１を動作させることによって、移動体用情報配信方法が実施される。よって、本実施形態における移動体用情報配信方法の説明は、以下の移動体用情報配信システム１の動作説明に代える。
【００５６】
まず、移動体用情報配信システム１の動作のうち、広告関連情報送信動作について、図６を用いて説明する。図６は、移動体用情報配信システム１の広告関連情報送信動作を示すフロー図である。以下の説明において、図２及び図３を適宜、参酌する。
【００５７】
図６に示すフローでは、まず、ステップＳＡ１として、データセンター２の情報管理部１１が、デジタル広告関連情報を格納する。すなわち、情報管理部１１は、広告コンテンツ情報、広告掲載期間情報、広告の配信対象路線及び区間の情報、配信優先順位情報などのデジタル広告関連情報を受信すると、随時、格納する。
【００５８】
次に、ステップＳＡ２で、情報管理部１１は、格納されているデジタル広告関連情報のうち、各中継拠点３の管轄内の路線で必要となるデジタル広告関連情報を選別し、該選別した情報を、複数の中継拠点３の情報中継部３２に対して、夜間バッチ処理などによって定期的に送信する。
【００５９】
ステップＳＡ３では、中継拠点３の情報中継部３２が、情報管理部１１から送信されたデジタル広告関連情報を受信する。デジタル広告関連情報は、データセンター２のデータセンターネットワーク２３及び中継拠点３の中継拠点ネットワーク３３を介して、情報管理部１１から情報中継部３２に送信される。
【００６０】
そして、情報中継部３２は、その日の運行を終了した列車４が中継拠点３に停車したタイミングで、デジタル広告関連情報を列車４の情報蓄積部４２に送信する（ステップＳＡ４）。
【００６１】
ステップＳＡ５では、列車４の情報蓄積部４２が、情報中継部３２から送信されたデジタル広告関連情報を受信する。デジタル広告関連情報は、中継拠点３の中継拠点ネットワーク３３及び無線装置３１、列車４の列車内ネットワーク４６及び無線装置４１を介して、情報中継部３２から情報蓄積部４２に送信される。
【００６２】
デジタル広告関連情報を受信した情報蓄積部４２では、該デジタル広告関連情報の蓄積や更新を行うとともに、蓄積されているデジタル広告関連情報のうち有効期限が切れた情報の削除などを行う。
【００６３】
その後、図６に示す広告関連情報送信動作を終了する。
【００６４】
次に、移動体用情報配信システム１の動作のうち、広告情報表示動作について、図７を用いて説明する。図７は、移動体用情報配信システム１の広告情報表示動作を示すフロー図である。以下の説明において、図２から図４を適宜、参酌する。
【００６５】
図７に示すフローがスタートすると、まず、ステップＳＢ１において、列車４の位置情報取得部１３が、現在の列車の位置を、列車位置情報として取得する。位置情報取得部１３は、列車４の各車両の乗降ドアの開閉状態を示す開閉状態情報、列車速度情報、列車４の走行距離情報、ＧＰＳ信号情報などから、現在の列車位置情報を得る。
【００６６】
次に、ステップＳＢ２において、位置情報取得部１３は、列車内ネットワーク４６を介して情報蓄積部４２に、列車位置情報を、逐次、送信する。該列車位置情報は、情報蓄積４２部で受信された後、逐次、蓄積される（ステップＳＢ３）。
【００６７】
ステップＳＢ４では、列車４の車載防犯カメラ５２が、列車４の車内の様子を撮影して画像情報を得る。続いて、ステップＳＢ５において、車載防犯カメラ５２で得られた画像情報は、列車内ネットワーク４６を介して情報蓄積部４２に、逐次、送信される。該画像情報は、情報蓄積部４２で受信された後、逐次、蓄積される（ステップＳＢ６）。
【００６８】
なお、上述のステップＳＢ１及びＳＢ２と、ステップＳＢ３及びＳＢ４とは、実行する順番が逆であってもよいし、同時であってもよい。すなわち、列車位置情報を情報蓄積部４２に送信して蓄積する前に、画像情報を情報蓄積部４２に送信して蓄積してもよい。
【００６９】
ステップＳＢ５で情報蓄積部４２に送信される画像情報は、分析処理部４４にも送信される。分析処理部４４は、画像情報を受信した後（ステップＳＢ７）、その画像情報に基づいて画像解析を行うことにより、人物関連情報としてのメタ情報を抽出する。分析処理部４４は、画像解析処理をリアルタイムで実施して、画像に写っている人物単位で、推定される年齢や性別、服装などの情報や、人物の位置や向きに関する情報、人物の状態を示す状態情報（情報表示用ディスプレイ５１を見ている、座っている、寝ている、荷物を持っている、本を読んでいる、携帯端末などを操作している、等）など、人物に関する人物関連情報（メタ情報）を抽出する。
【００７０】
その後、分析処理部４４は、列車内ネットワーク４６を介して、抽出した人物関連情報を、情報蓄積部４２に送信する（ステップＳＢ８）。分析処理部４４から送信された人物関連情報を受信した情報蓄積部４２は、該人物関連情報を時系列データとして蓄積する（ステップＳＢ９）。
【００７１】
ステップＳＢ１０及びＳＢ１１において、分析処理部４４によって、列車４の情報表示用ディスプレイ５１に対するデジタル広告情報の配信計画の決定に必要な情報の取得を行った後、ステップＳＢ１２で、分析処理部４４は、前記配信計画を決定する。なお、ステップＳＢ１０では、分析処理部４４が、列車位置情報、人物関連情報及び配信優先順位情報を取得するために、情報蓄積部４２に対して蓄積情報の検索指示を行う。一方、ステップＳＢ１１では、情報蓄積部４２が、分析処理部４４からの検索指示に応じて、蓄積されている情報の検索を行い、その結果を分析処理部４４に出力する。
【００７２】
以下では、ステップＳＢ１０，ＳＢ１２の分析処理部４４の動作を、図８に示すフローで詳しく説明する。図８は、分析処理部４４における配信計画決定の動作を示すフロー図である。
【００７３】
図８に示すフローでは、まず、分析処理部４４が、情報蓄積部４２に蓄積されている、列車位置情報、人物関連情報及びデジタル広告関連情報を取得する（ステップＳＣ１）。
【００７４】
分析処理部４４の走行区間特定部６３は、列車４が走行を開始すると、前記列車位置情報に基づいて、列車４が駅を出発したと判断して、列車４の走行区間を特定する（ステップＳＣ２）。
【００７５】
続いて、分析処理部４４の視聴人物特定部６２は、情報蓄積部４２から人物に関するメタ情報（人物関連情報）の時系列データを取得し、該時系列データにおける人物の位置や向きなどの情報に基づいて、各情報表示用ディスプレイ５１の視聴が予想される人物群（視聴者グループ）を特定する（ステップＳＣ３）。
【００７６】
その後、分析処理部４４の広告対象選定部６４は、情報蓄積部４２に蓄積されているデジタル広告関連情報と、走行区間特定部６２によって特定された走行区間とに基づいて、情報表示用ディスプレイ５１に表示可能な広告対象を選定する（ステップＳＣ４）。
【００７７】
分析処理部４４の配信順位決定部６５は、視聴人物特定部６２によって情報表示用ディスプレイ５１ごとに特定した、視聴が予想される人物群に関するメタ情報と、情報蓄積部４２に蓄積されている配信優先順位情報とを用いて、広告対象選定部６４によって選定された広告対象の配信優先順位を決定する（ステップＳＣ５）。具体的には、配信順位決定部６５は、前記メタ情報と前記配信優先順位情報とが合致する比率を算出して、前記広告対象の配信優先順位を、前記合致する比率が高い順番とする。
【００７８】
そして、分析処理部４４の配信計画決定部１４は、走行区間特定部６３で特定された走行区間と、配信順位決定部６５で決定した配信優先順位とに基づいて、各情報表示用ディスプレイ５１に表示するデジタル広告情報の配信計画を決定する（ステップＳＣ６）。詳しくは、配信計画決定部１４は、走行区間特定部６３で特定された走行区間に基づいて次の駅の到着時間を予測するとともに、その到着時間までの間に情報表示用ディスプレイ５１に表示可能なデジタル広告情報の総量と、配信順位決定部６５で決定した配信優先順位情報とを比較してデジタル広告情報の表示順を調整することにより、前記配信計画を決定する。
【００７９】
分析処理部４４は、上述のようにして決定された前記配信計画を、広告配信部４３及び情報蓄積部４２に送信する（ステップＳＣ７）。これにより、分析処理部４４による配信計画決定の動作を終了する。その後、図７のステップＳＢ１３以降に進む。
【００８０】
図７に示すように、上述のように、分析処理部４４から送信された前記配信計画は、情報蓄積部４２によって受信され且つ蓄積される（ステップＳＢ１３）とともに、広告配信部４３によっても受信される（ステップＳＢ１４）。
【００８１】
その後、広告配信部４３では、列車４が次の駅に到着するまでの間、受信した前記配信計画に従って、情報蓄積部４２からデジタル広告情報（画像、音声、文字情報など）を取得して、情報表示用ディスプレイ５１に前記デジタル広告情報を配信し続ける（ステップＳＢ１５）。各情報表示用ディスプレイ５１では、配信された前記デジタル広告情報を出力（表示）する（ステップＳＢ１７）。なお、広告配信部４３が情報蓄積部４２から取得した前記デジタル広告情報は、情報蓄積部４２に、表示情報として、逐次、記録される（ステップＳＢ１６）。
【００８２】
上述のような広告情報表示動作は、列車４が終着駅に到着するまで、繰り返し行われる。
【００８３】
次に、移動体用情報配信システム１の動作のうち、配信優先順位最適化動作について、図９を用いて説明する。図９は、移動体用情報配信システム１の広告情報表示動作を示すフロー図である。以下の説明において、図２から図４を適宜、参酌する。
【００８４】
図９に示すフローがスタートすると、ステップＳＤ１において、列車４が中継拠点３に停車したタイミングで、列車４の情報蓄積部４２が、蓄積された列車位置情報、車内の画像情報、人物に関するメタ情報（人物関連情報）、配信情報などの各種記録情報を、中継拠点３の情報中継部３２にデータ移行する。情報蓄積部２１から情報中継部３２へのデータ移行は、列車４の列車内ネットワーク４６及び無線装置４１と中継拠点３の中継拠点ネットワーク３３及び無線装置３１を介して行われる。
【００８５】
情報中継部３２は、情報蓄積部４２から各種記録情報を受信する（ステップＳＤ２）と、該各種記録情報を蓄積する。情報中継部３２に蓄積された各種記録情報は、夜間バッチ処理等によって、データセンター２の視聴率統計部２２に送信される（ステップＳＤ３）。情報中継部３２から視聴率統計部２２へのデータ移行は、中継拠点３の中継拠点ネットワーク３３及びデータセンター２のデータセンターネットワーク２３を介して行われる。
【００８６】
視聴率統計部２２は、情報中継部３２から各種記録情報を受信する（ステップＳＤ４）と、該各種記録情報から、それぞれのデジタル広告が、どの区間で、どのような人物に、どの程度、視聴されたのかなどの広告視聴状況（視聴に関して得られた情報）を分析して、配信優先順位情報を最適化する（ステップＳＤ５）。視聴率統計部２２によって、視聴率の高いデジタル広告情報を用いて、効果の高い広告の特徴を分析することにより、効果的なデジタル広告の作成に利用することが可能になる。すなわち、視聴率統計部２２が、前記各種記録情報を、想定される人物像や区間情報、時間帯情報、よく視聴されるデジタル広告種別などの様々な観点から分析を行うことにより、その分析結果を用いてより効果的なデジタル広告を作成することができる。
【００８７】
視聴率統計部２２は、前記最適化された配信優先順位情報を、情報管理部１１に送信する（ステップＳＤ６）。前記最適化された配信優先順位情報を受信した情報管理部１１は、格納されている配信優先順位情報を、前記最適化された配信優先順位情報に更新する（ステップＳＤ７）。
【００８８】
ここで、図６のステップＳＡ１が情報管理ステップに対応し、図７のステップＳＢ４からＳＢ８が人物関連情報取得ステップに対応する。また、図７のステップＳＢ１が位置情報取得ステップに対応し、図７のステップＳＢ１２が配信計画決定ステップに対応する。また、図９のステップＳＤ５が統計処理ステップに対応する。
【００８９】
以上より、列車４内に設けられた情報表示用ディスプレイ５１を視聴する可能性がある人物を、車載防犯カメラ５１の画像に基づいて特定し、その人物に最適なデジタル広告情報を情報表示用ディスプレイ５１に表示させることができる。
【００９０】
そして、列車４の列車位置情報から走行区間を特定することにより、その地域に合ったデジタル広告情報を情報表示用ディスプレイ５１に表示させることができる。また、デジタル広告情報の表示は、配信優先順位情報も考慮して決められる。
【００９１】
このように、列車４内に設けられた情報表示用ディスプレイ５１を視聴する可能性がある人物に関する情報だけでなく、列車４の列車位置情報及び配信優先順位情報も考慮して、情報表示用ディスプレイ５１の表示内容を決定することができる。よって、列車４内の情報表示用ディスプレイ５１の視聴者に対し、その人に適切であり、且つ、優先順位が高く、該列車４の特定の移動区間で有用な情報を提供することができる。したがって、列車４内の情報表示用ディスプレイ５１の視聴者に対して、より有用な情報を提供することが可能になる。
【００９２】
しかも、前記配信優先順位情報は、列車４で得られた各種記録情報に基づいて、最適化されるため、列車４内での表示ディスプレイ５１の視聴者により適したデジタル広告情報を該表示ディスプレイ５１に表示させることが可能になる。
【００９３】
また、列車４内に複数の情報表示用ディスプレイ５１が設けられている場合には、それぞれの情報表示用ディスプレイ５１を視聴する人物を特定し、その人物に関する人物関連情報に応じて、各情報表示用ディスプレイ５１にデジタル広告情報を配信する。これにより、列車４内の複数の情報表示用ディスプレイ５１に、それぞれ、視聴者に適したデジタル広告情報を表示させることができる。
【００９４】
本発明の実施形態におけるプログラムは、コンピュータに、図６から図９に示すステップＳＡ１からＳＡ６，ＳＢ１からＳＢ１７，ＳＣ１からＳＣ７及びＳＤ１からＳＤ７を実行させるプログラムであれば良い。このプログラムを複数のコンピュータにインストールし、実行することによって、本実施形態における移動体用情報配信システム１と移動体用情報配信方法とを実現することができる。
【００９５】
この場合、コンピュータのＣＰＵ（Ｃｅｎｔｒａｌ  Ｐｒｏｃｅｓｓｉｎｇ  Ｕｎｉｔ）は、広告配信部４３、分析処理部４４、位置情報取得部１３として機能し、処理を行う。また、別のコンピュータのＣＰＵは、視聴率統計部２２として機能し、処理を行う。
【００９６】
また、本実施形態では、情報管理部１１、情報中継部３２及び情報蓄積部４２は、それぞれ、コンピュータに備えられたハードディスク等の記憶装置に、これらを構成するデータファイルを格納することによって、またはこのデータファイルが格納された記録媒体をコンピュータと接続された読取装置に搭載することによって実現されている。
【００９７】
ここで、本実施形態におけるプログラムを実行することによって、移動体用情報配信システム１の各構成を実現するコンピュータについて図１０を用いて説明する。図１０は、本発明の実施形態における移動体用情報配信システム１の各構成を実現するコンピュータの一例を示すブロック図である。
【００９８】
図１０に示すように、コンピュータ１００は、ＣＰＵ１０１と、メインメモリ１０２と、記憶装置１０３と、入力インターフェイス１０４と、表示コントローラ１０５と、データリーダ／ライタ１０６と、通信インターフェイス１０７とを備える。これらの各部は、バス１１１を介して、互いにデータ通信可能に接続される。
【００９９】
ＣＰＵ１０１は、記憶装置１０３に格納された、本実施の形態におけるプログラム（コード）をメインメモリ１０２に展開し、これらを所定順序で実行することにより、各種の演算を実施する。メインメモリ１０２は、典型的には、ＤＲＡＭ（Ｄｙｎａｍｉｃ  Ｒａｎｄｏｍ  Ａｃｃｅｓｓ  Ｍｅｍｏｒｙ）等の揮発性の記憶装置である。また、本実施の形態におけるプログラムは、コンピュータ読み取り可能な記録媒体１１０に格納された状態で提供される。なお、本実施の形態におけるプログラムは、通信インターフェイス１０７を介して接続されたインターネット上で流通するものであっても良い。
【０１００】
また、記憶装置１０３の具体例としては、ハードディスクドライブの他、フラッシュメモリ等の半導体記憶装置が挙げられる。入力インターフェイス１０４は、ＣＰＵ１０１と、キーボード及びマウスといった入力機器１０８との間のデータ伝送を仲介する。表示コントローラ１０５は、ディスプレイ装置１０９と接続され、ディスプレイ装置１０９での表示を制御する。
【０１０１】
データリーダ／ライタ１０６は、ＣＰＵ１０１と記録媒体１１０との間のデータ伝送を仲介し、記録媒体１１０からのプログラムの読み出し、及びコンピュータ１００における処理結果の記録媒体１１０への書き込みを実行する。通信インターフェイス１０７は、ＣＰＵ１０１と、他のコンピュータとの間のデータ伝送を仲介する。
【０１０２】
また、記録媒体１１０の具体例としては、ＣＦ（Ｃｏｍｐａｃｔ  Ｆｌａｓｈ（登録商標））及びＳＤ（Ｓｅｃｕｒｅ  Ｄｉｇｉｔａｌ）等の汎用的な半導体記憶デバイス、フレキシブルディスク（Ｆｌｅｘｉｂｌｅ  Ｄｉｓｋ）等の磁気記憶媒体、又はＣＤ−ＲＯＭ（Ｃｏｍｐａｃｔ  Ｄｉｓｋ  Ｒｅａｄ  Ｏｎｌｙ  Ｍｅｍｏｒｙ）などの光学記憶媒体が挙げられる。
【０１０３】
なお、本実施の形態におけるプログラムは、複数のコンピュータによって構築されたコンピュータシステムによって実行されても良い。この場合は、例えば、各コンピュータが、それぞれ、広告配信部４３、分析処理部４４、位置情報取得部１３及び視聴率統計部２２のいずれかとして機能しても良い。
【０１０４】
（その他の実施形態）
以上、本発明の実施の形態を説明したが、上述した実施の形態は本発明を実施するための例示に過ぎない。よって、上述した実施の形態に限定されることなく、その趣旨を逸脱しない範囲内で上述した実施の形態を適宜変形して実施することが可能である。
【０１０５】
本実施形態では、分析処理部４４は、列車位置情報、人物関連情報及びデジタル広告関連情報に基づいて、情報表示用ディスプレイ５１に対する配信計画を決定する。しかしながら、分析処理部４４は、天気や気温の情報など、他のセンサ等から取得される情報や、画像から抽出される人物の特徴情報をより細分化した情報なども利用して、配信計画を決定してもよい。これにより、列車４内の人物に対してよりきめ細かいデジタル広告情報を情報表示用ディスプレイ５１に表示することが可能になる。
【０１０６】
本実施形態では、分析処理部４４は、列車位置情報に基づいて走行区間を特定し、その走行区間を用いて配信計画を決定する。しかしながら、分析処理部４４は、列車４の運行に遅延が発生した場合には、次の駅までの到着時間に遅れが発生するため、この遅れを考慮して配信計画を再計算してもよい。これにより、列車４の遅延が発生した場合には、情報表示用ディスプレイ５１に、より多くのデジタル広告情報を表示することが可能になる。
【０１０７】
本実施形態では、情報表示用ディスプレイ５１を視聴している可能性がある人を車載防犯カメラ５２によって撮影し、得られた画像に基づいて人物関連情報を取得している。しかしながら、人物関連情報を取得する場合には、カメラによって撮影された画像以外のデータから取得してもよい。
【０１０８】
上述した実施の形態の一部または全部は、以下に記載する（付記１）〜（付記１３）によって表現することができるが、以下の記載に限定されるものではない。
【０１０９】
（付記１）
移動体に設けられた情報表示装置に情報を表示させる移動体用情報配信システムであって、
前記情報表示装置に表示させるための情報を管理する情報管理部と、
前記情報表示装置を視聴する可能性がある人に関する人物関連情報を取得する人物関連情報取得部と、
前記移動体の位置情報を取得する位置情報取得部と、
前記人物関連情報と、前記移動体の位置情報と、前記情報表示装置に対する配信の優先順位の情報を含む配信優先順位情報とに基づいて、前記情報管理部によって管理されている情報から、前記情報表示装置に表示する内容を決定する配信計画決定部とを備える、移動体用情報配信システム。
【０１１０】
（付記２）
前記配信計画決定部は、前記位置情報に基づいて、前記情報管理部によって管理されている情報から、前記情報表示装置に表示する情報を選定するとともに、前記人物関連情報及び前記配信優先順位情報に基づいて、前記選定した情報を前記情報表示装置に表示する順番を決める、付記１に記載の移動体用情報配信システム。
【０１１１】
（付記３）
前記情報表示装置の視聴に関して得られた情報の分析を行うとともに、その分析結果に基づいて前記配信優先順位情報を最適化する統計処理部をさらに備え、
前記配信計画決定部は、前記最適化された配信優先順位情報を用いて、前記情報表示装置に表示する内容を決定する、付記１または２に記載の移動体用情報配信システム。
【０１１２】
（付記４）
前記情報表示装置は、前記移動体に複数設けられていて、
前記人物関連情報取得部は、前記複数の情報表示装置をそれぞれ視聴する可能性がある人に関する人物関連情報を取得し、
前記配信計画決定部は、前記情報表示装置ごとに、前記人物関連情報取得部によってそれぞれ取得された人物関連情報を考慮して表示内容を決定する、付記１から３のいずれか一つに記載の移動体用情報配信システム。
【０１１３】
（付記５）
前記情報管理部は、各種データを管理するデータセンターに設けられ、
前記人物関連情報取得部、前記位置情報取得部及び前記配信計画決定部は、前記移動体内に設けられていて、
前記移動体と前記データセンターとは、中継拠点を介してデータ送受信可能に構成されている、請求項１から４のいずれか一つに記載の移動体用情報配信システム。
【０１１４】
（付記６）
移動体に設けられた情報表示装置に情報を表示させる移動体用情報配信方法であって、
前記情報表示装置に表示させるための情報を管理する情報管理ステップと、
前記情報表示装置を視聴する可能性がある人に関する人物関連情報を取得する人物関連情報取得ステップと、
前記移動体の位置情報を取得する位置情報取得ステップと、
前記人物関連情報と、前記移動体の位置情報と、前記情報表示装置に対する配信の優先順位の情報を含む配信優先順位情報とに基づいて、前記情報管理部によって管理されている情報から、前記情報表示装置に表示する内容を決定する配信計画決定ステップとを有する、移動体用情報配信方法。
【０１１５】
（付記７）
前記配信計画決定ステップは、前記位置情報に基づいて、前記情報管理部によって管理されている情報から、前記情報表示装置に表示する情報を選定するとともに、前記人物関連情報及び前記配信優先順位情報に基づいて、前記選定した情報を前記情報表示装置に表示する順番を決める、付記６に記載の移動体用情報配信方法。
【０１１６】
（付記８）
前記情報表示装置の視聴に関して得られた情報の分析を行うとともに、その分析結果に基づいて前記配信優先順位情報を最適化する統計処理ステップをさらに有し、
前記配信計画決定ステップは、前記最適化された配信優先順位情報を用いて、前記情報表示装置に表示する内容を決定する、付記６または７に記載の移動体用情報配信方法。
【０１１７】
（付記９）
前記情報表示装置は、前記移動体に複数設けられていて、
前記人物関連情報取得ステップは、前記複数の情報表示装置をそれぞれ視聴する可能性がある人に関する人物関連情報を取得し、
前記配信計画決定ステップは、前記情報表示装置ごとに、前記人物関連情報取得ステップによって取得された人物関連情報を考慮して表示内容を決定する、付記６から８のいずれか一つに記載の移動体用情報配信方法。
【０１１８】
（付記１０）
移動体に設けられた情報表示装置に情報を表示させる移動体用情報配信方法を制御するためのプログラムであって、
コンピュータに、
前記情報表示装置に表示させるための情報を管理する情報管理ステップと、
前記情報表示装置を視聴する可能性がある人に関する人物関連情報を取得する人物関連情報取得ステップと、
前記移動体の位置情報を取得する位置情報取得ステップと、
前記人物関連情報と、前記移動体の位置情報と、前記情報表示装置に対する配信の優先順位の情報を含む配信優先順位情報とに基づいて、前記情報管理部によって管理されている情報から、前記情報表示装置に表示する内容を決定する配信計画決定ステップとを実行させる、プログラム。
【０１１９】
（付記１１）
前記配信計画決定ステップは、前記位置情報に基づいて、前記情報管理ステップによって管理されている情報から、前記情報表示装置に表示する情報を選定するとともに、前記人物関連情報及び前記配信優先順位情報に基づいて、前記選定した情報を前記情報表示装置に表示する順番を決める、付記１０に記載のプログラム。
【０１２０】
（付記１２）
前記コンピュータに、
前記情報表示装置の視聴に関して得られた情報の分析を行うとともに、その分析結果に基づいて前記配信優先順位情報を最適化する統計処理ステップをさらに実行させ、
前記配信計画決定ステップは、前記最適化された配信優先順位情報を用いて、前記情報表示装置に表示する内容を決定する、付記１０または１１に記載のプログラム。
【０１２１】
（付記１３）
前記情報表示装置は、前記移動体に複数設けられていて、
前記人物関連情報取得ステップは、前記複数の情報表示装置をそれぞれ視聴する可能性がある人に関する人物関連情報を取得し、
前記配信計画決定ステップは、前記情報表示装置ごとに、前記人物関連情報取得ステップによって取得された人物関連情報に応じた表示内容を決定する、付記１０から１２のいずれか一つに記載のプログラム。
【０１２２】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【産業上の利用可能性】
【０１２３】
本発明は、移動体に設けられた情報表示装置に情報を表示させる移動体用情報配信システムに利用可能である。
【符号の説明】
【０１２４】
１  移動体用情報配信システム
２  データセンター
３  中継拠点
４  列車
１１  情報管理部
１２  人物関連情報取得部
１３  位置情報取得部
１４  配信計画決定部
２２  視聴率統計部（統計処理部）
２３  データセンターネットワーク
３１  無線装置
３２  情報中継部
３３  中継拠点ネットワーク
４１  無線装置
４２  情報蓄積部
４３  広告配信部
４４  分析処理部
４５  位置情報取得部
４６  列車内ネットワーク
５１  情報表示用ディスプレイ
５２  車載防犯カメラ
６２  視聴人物特定部
６３  走行区間特定部
６４  広告対象選定部
６５  配信順位決定部
１００  コンピュータ
１０１  ＣＰＵ
１０２  メインメモリ
１０３  記憶装置
１０４  入力インターフェイス
１０５  表示コントローラ
１０６  データリーダ／ライタ
１０７  通信インターフェイス
１０８  入力機器
１０９  ディスプレイ装置
１１０  記録媒体
１１１  バス
【図１】
2017183929.tif 000003
【図２】
2017183929.tif 000004
【図３】
2017183929.tif 000005
【図４】
2017183929.tif 000006
【図５】
2017183929.tif 000007
【図６】
2017183929.tif 000008
【図７】
2017183929.tif 000009
【図８】
2017183929.tif 000010
【図９】
2017183929.tif 000011
【図１０】
2017183929.tif 000012